(57)【特許請求の範囲】
【請求項１】
軸筒内に、芯の前進は許容するが後退は阻止する芯繰出機構と、芯を適度な力で保持するスライド部材とを有し、
前記芯に掛かる筆記圧の付加と解除によって該芯を繰り出すシャープペンシルであって、
前記軸筒内に、前記スライド部材を内包する先部材の後部が配設され、
前記先部材は前記軸筒に対して回動不能且つ前後動可能に構成されており、
前記先部材の後方に、前方部に前カムを設けた回転部材が配設され、
前記回転部材は前記軸筒に対して回動可能且つ前後動可能に構成されており、
前記先部材の後部に、前記回転部材の前カムと係合する後カムを備え、
前記軸筒の内面に、前記回転部材の前カムと係合する固定カムを備え、
前記スライド部材を前方に弾発するスプリングが該スライド部材と前記先部材との間に配設され、
前記先部材または前記軸筒の側面に、該軸筒に対して該先部材の前後動を阻止する摺動阻止部が設けられており、
前記芯に掛かる筆記圧の付加と解除によって、前記軸筒に対して前記先部材が前後動し、前記回転部材の前カムと該先部材の後カム及び前記軸筒の固定カムとを係合させることで前記回転部材が回転して該芯が繰り出され、
前記摺動阻止部を操作することで、前記芯に掛かる筆記圧の付加と解除における前記軸筒に対する前記先部材の前後動を阻止することを特徴としたシャープペンシル。
【請求項２】
前記先部材の摺動阻止部を前記先部材または軸筒の外側面に、凸状または凹状に形成したことを特徴とする請求項１に記載のシャープペンシル。
【請求項３】
前記先部材の後部の後カム及び前記軸筒の内面の固定カムは鋸刃状のカム山で形成され、
前記先部材の後カムと前記軸筒の内面の固定カムとが半位相ずれた状態で前後動するよう構成されており、  
前記軸筒の固定カムのカム山は深い谷部と、浅い谷部とを備え、
前記芯に掛かる筆記圧の付加と解除によって前記回転部材が回転し、
前記軸筒の固定カムの深い谷部に前記回転部材の前カムのカム山が係合したときに、前記先部材が大きく前後動して前記芯が繰り出され、
前記軸筒の固定カムの浅い谷部に前記回転部材の前カムのカム山が係合したときには、前記芯が繰り出されないよう構成したことを特徴とする請求項１または２に記載のシャープペンシル。
【発明の詳細な説明】
【技術分野】
【０００１】
本発明は、シャープペンシルに関し、特に筆記時の芯の磨耗に伴い一定量の芯を繰り出す構造のシャープペンシルに関したものである。
【背景技術】
【０００２】
従来、芯が摩耗した量だけ自動的に繰り出されるシャープペンシルとしては、本願出願人が以前に出願したものとして特許文献１が知られている。
【０００３】
しかしながら、特許文献１の構造では筆記時に芯ガイドパイプの先端が筆記面に当接することで該芯ガイドパイプが後退し、筆記を中断して芯ガイドパイプの先端を筆記面から離すと芯ホルダーを内蔵した芯ガイドパイプが芯を保持したまま前進することで芯を繰り出すため、筆記時の大半において芯ガイドパイプの先端は芯と共に筆記面に接触しており、筆記感を損なうものであった。
【０００４】
この問題を解決する構造として、特許文献２には筆記時に芯に掛かる筆圧の付加と解除により芯を繰り出すことで、芯ガイドとなる摺動ユニットの先端が筆記時に当接しないように構成した自動繰り出し式のシャープペンシルが記載されている。
この特許文献２の構造として、実施例３には軸筒内に芯の後退を阻止するチャックユニットと芯を保持する摺動ユニットが配置されたものが例示されており、筆記時に芯に筆圧が掛かった際、芯ガイドとなる摺動ユニットが芯とともに後退する為、摺動ユニットが筆記面に当接することがなく、筆記感を損なうことがないものである。また、本件構造では摺動ユニットの後端面及び先部材内に複数の鋸歯状のカム山を形成し、その鋸歯状のカム山と係合する突起を有する円筒部材が、摺動ユニットの前後動によって回転及び前後動し且つ円筒部材の前後動の距離を間欠的にすることで、複数回の筆圧で１回芯が繰り出されるように構成され、必要以上の芯の繰り出しを防止することができる。更に本件構造であれば、シャープペンシルの使用状況、筆記する芯の硬度や紙質、書き込む言語等による芯の摩耗に応じて、摺動ユニットの前後動を何回すれば１回芯を繰り出すかを設定することが出来るものである。
しかしながら、特許文献２の構造では、シャープペンシルの使用状況、筆記する芯の硬度や紙質、書き込む言語等による芯の摩耗に応じて、摺動ユニットの前後動を何回行えば１回芯を繰り出すかを設定して製作することが出来るものの、製作後は使用中の状況変化には対応できないものであるため、設定と違う使い方をすると筆記時に摺動ユニットの先端から芯が出過ぎて芯の折損が発生する場合があった。
【先行技術文献】
【特許文献】
【０００５】
【特許文献１】実公昭６０−２１２７３号公報
【特許文献２】国際公開ＷＯ２０１２／０１４８３２号公報
【発明の概要】
【発明が解決しようとする課題】
【０００６】
本発明は、前記問題を鑑みて発明されたものであって、筆圧の付加と解除によって芯が繰り出される状態と繰り出されない状態とを切り替えることができるシャープペンシルを提供することを目的とする。
【０００７】
本発明は、
「１．軸筒内に、芯の前進は許容するが後退は阻止する芯繰出機構と、芯を適度な力で保持するスライド部材とを有し、
前記芯に掛かる筆記圧の付加と解除によって該芯を繰り出すシャープペンシルであって、
前記軸筒内に、前記スライド部材を内包する先部材の後部が配設され、
前記先部材は前記軸筒に対して回動不能且つ前後動可能に構成されており、
前記先部材の後方に、前方部に前カムを設けた回転部材が配設され、
前記回転部材は前記軸筒に対して回動可能且つ前後動可能に構成されており、
前記先部材の後部に、前記回転部材の前カムと係合する後カムを備え、
前記軸筒の内面に、前記回転部材の前カムと係合する固定カムを備え、
前記スライド部材を前方に弾発するスプリングが該スライド部材と前記先部材との間に配設され、
前記先部材または前記軸筒の側面に、該軸筒に対して該先部材の前後動を阻止する摺動阻止部が設けられており、
前記芯に掛かる筆記圧の付加と解除によって、前記軸筒に対して前記先部材が前後動し、前記回転部材の前カムと該先部材の後カム及び前記軸筒の固定カムとを係合させることで前記回転部材が回転して該芯が繰り出され、
前記摺動阻止部を操作することで、前記芯に掛かる筆記圧の付加と解除における前記軸筒に対する前記先部材の前後動を阻止することを特徴としたシャープペンシル。
２．前記先部材の摺動阻止部を前記先部材または軸筒の外側面に、凸状または凹状に形成したことを特徴とする前記１項に記載のシャープペンシル。
３. 前記先部材の後部の後カム及び前記軸筒の内面の固定カムは鋸刃状のカム山で形成され、
前記先部材の後カムと前記軸筒の内面の固定カムとが半位相ずれた状態で前後動するよう構成されており、  
前記軸筒の固定カムのカム山は深い谷部と、浅い谷部とを備え、
前記芯に掛かる筆記圧の付加と解除によって前記回転部材が回転し、
前記軸筒の固定カムの深い谷部に前記回転部材の前カムのカム山が係合したときに、前記先部材が大きく前後動して前記芯が繰り出され、
前記軸筒の固定カムの浅い谷部に前記回転部材の前カムのカム山が係合したときには、前記芯が繰り出されないよう構成したことを特徴とする前記１項または２項に記載のシャープペンシル。」である。
【０００８】
本発明のシャープペンシルは、摺動阻止部を操作した状態で筆記する場合、先部材の前後動が阻止されて筆圧では芯が繰り出されないため、通常のシャープペンシルとして使用できる。また、芯が短くなったときには摺動阻止部から手を離すことで筆圧により自動的に芯が繰り出されるものである。
また、先部材に対してスライダーを前後動可能に構成しているため、筆記時に芯が磨耗してスライダーが紙面に接触して後退すると、先行文献１のような通常の自動繰出式シャープペンシルと同様に筆圧が解除されてスライダーが前進する際に芯を自動で繰り出すことが可能である。
【０００９】
また、前記摺動阻止部を操作することとは、手で摺動阻止部を把持、押動、スライド、回動する動作を含み、摺動阻止部を操作することで軸筒に対して先部材の摺動が不能となればよい。この際、摺動阻止部は先部材の外側面に形成してもよく、軸筒の外側面に形成してもよい。
尚、摺動阻止部を把持により操作する場合は、把持しやすいように摺動阻止部を外側面に凸状または凹状に形成して滑りにくくすることが好ましい。また摺動阻止部は把持しやすければ凸状や凹状の形状は問わないが複数並列に形成して滑りにくくすることがより好ましい。
また、摺動阻止部は軸筒内方に向かってスライド可能に形成したスイッチ形状としてもよく、摺動阻止部を押動することで軸筒と先部材とを係止させる等、先部材が摺動不能となるように構成してもよい。
【００１０】
本発明では、軸筒の固定カムのカム山に浅い谷部と深い谷部を形成し、浅い谷部と深い谷部との構成比率を変えることで、芯に掛かる筆圧の付加と解除により芯が繰り出される割合を変化させることが可能である。例えば、２回の筆圧の付加で１回芯が繰り出されるようにする場合は、浅い谷部と深い谷部を交互に形成すればよく、１０回に１回の割合で芯を繰り出す場合は、浅い谷部を９箇所連続で形成した後に深い谷部を１箇所形成すればよい。
【発明の効果】
【００１１】
本発明では、先部材または軸筒の側面に摺動阻止部を設けることで、筆圧の付加と解除によって芯が繰り出される状態と繰り出されない状態とを容易に切り替えることができるシャープペンシルを得ることができた。
【図面の簡単な説明】
【００１２】
【図１】本実施例のシャープペンシルの側面図である。
【図２】本実施例のシャープペンシルの縦断面図である。
【図３】本実施例の要部を拡大した断面図である。
【図４】図３のＡ−Ａ線における断面図である。
【図５】図３における回転部材の前カムと、軸筒の固定カムと、先部材の後カムとの関係を示す拡大した略側面図である。
【図６】本実施例のシャープペンシルの縦断面図である。
【図７】本実施例のシャープペンシルの回転部材の前カムと、軸筒の固定カムと、先部材の後カムとの関係を示す略側面図であり、図７（ａ）は図３、図７（ｂ）は図６、図７（ｃ）は図８、図７（ｄ）は図９におけるカム同士の関係をそれぞれ示す略側面図である。
【図８】本実施例のシャープペンシルの縦断面図である。
【図９】本実施例のシャープペンシルの縦断面図である。
【図１０】本実施例のシャープペンシルの縦断面図である。
【発明を実施するための形態】
【００１３】
以下に、図面を参照して本実施例のシャープペンシルについて説明をするが、本発明は以下のシャープペンシルに限定されるものではない。
尚、本実施例では筆記先端部がある側を前方と表現し、その反対側を後方と表現する。また、軸筒の軸心に近い側を内方と表現し、その反対側を外方と表現する。
【００１４】
図１は、本実施例のシャープペンシルの側面図であり、図２は、図１のシャープペンシルの縦断面図であり、図３は要部を拡大した縦断面図であり、図４は図３のＡ−Ａ線における断面図である。図１、図２に示すように、シャープペンシル１は、筒状に形成された前軸部材２と、前軸部材２の後部に螺合された後軸部材３と、前軸部材２の前方開口部から挿入された先部材４と、後軸部材３の後部に装着されたキャップ５とを備えている。また、先部材４の先端にはスライド部材６が挿通可能な先端開口部４ａが形成してある。更に、スライド部材６の先端には芯７が挿通可能な先端孔部６ａを形成してある。
尚、本実施例では前軸部材２と後軸部材３とで軸筒８を構成してある。
【００１５】
図２及び図３に示すように、軸筒８の内方には、頭部９ａが二分割されたボールチャック９を配設してあり、頭部９ａの外側面には半球状の凹部９ｂが形成してある。また、ボールチャックの凹部９ｂには球状の鋼製ボール１０を挿入してあり、鋼製ボール１０及びボールチャック９を囲うように筒状の締具１１を配設してある。
また、締具１１の前部内面には前方に向かって拡開する傾斜部１１ａを形成してあり、傾斜部１１ａにはボールチャック９の凹部９ｂに挿入した鋼製ボール１０が当接するよう配置してある。
更に、ボールチャック９の外側面には段部９ｃが形成してあり、段部９ｃと締具１１の内面に形成した内段との間にチャックスプリング１２を張架して、ボールチャック９を締具１１に対して後方に弾発してある。
【００１６】
ボールチャック９の後方には芯７が通過可能な内孔を有する筒状のコネクター１３を配設してあり、コネクター１３が前進した際にボールチャック９の後端とコネクター１３の前端とが当接するよう配置してある。
【００１７】
また、コネクター１３の中間部１３ａには摺動筒１４が配設してあり、摺動筒１４はコネクター１３に対して前後動可能に装着してある。また、摺動筒１４の前端は締具１１の後端に当接しており、摺動筒１４の後部とコネクター１３の後方段部との間にノックスプリング１５を張架することで摺動筒１４に対してコネクター１３を後方に弾発してある。
尚、コネクター１３の後部には筒状の芯タンク１６を圧入してあり、芯タンク１６の後部の内孔には消しゴム１７が着脱自在に取り付けてあり、後軸部材３の後方内孔より後方へ突出する芯タンク１６の後部外面にはキャップ５が着脱自在に取り付けてある。
【００１８】
本実施例は、前述したようにボールチャック９と締具１１の間に鋼性ボール１０を挟んだ一般的なボールチャック式の芯繰出機構を採用しているため、ボールチャック９で芯を挟持した際、芯７の後退時には楔作用が働き芯７を強く挟持するが、芯７の前進時には楔作用が解除され小さい力で引き抜くことを可能としてある。
【００１９】
また、軸筒８の内方且つ締具１１の外方には筒状の前方筒体１８を配設してあり、前方筒体１８の後方側面に形成した窓部１８ａと、摺動筒１４の外側面から外方へ突出するように形成した爪部１４ａとを係止することで、前方筒体１８と摺動筒１４とを一体に固定してある。
尚、前方筒体１８の前部内孔には段部１８ｂを形成してあり、締具１１が前進した際、締具１１の外側面に形成した外段部１１ｂと前方筒体１８の段部１８ｂとが当接するよう構成することで締具１１の前進を規制してある。また、前方筒体１８の側面には内外を貫通し軸方向に延びるスリット部１８ｃを形成してある。  
【００２０】
図２、図３及び図４に示すように、前軸部材２の前方開口から挿入された先部材４の後部内孔４ｃには、前方筒体１８が前後動可能に挿入されている。また、先部材４の側面には内外を貫通する側孔４ｄが軸心を挟んで対角上に２か所形成してある。この側孔４ｄには釘状に形成され鍔部１９ａを有するキー部材１９を圧入固着してあり、キー部材１９の先端は先部材の内面から内方へ向かって突出しており、その突出した突出部１９ｂを前方筒体１８のスリット部１８ｃに挿入することで、先部材４に対して前方筒体１８を前後動可能且つ回動不能に構成してある。
更に、キー部材１９の鍔部１９ａは先部材４の外面から外方へ突出した状態で圧入してあり、鍔部１９ａを前軸部材の側面に軸方向に延ばして形成した横孔部２ａに配置することで、前軸部材２に対して先部材４を前後動可能且つ回動不能に構成してある。
これにより、前方筒体１８はキー部材１９の突出部１９ｂが前方筒体１８のスリット部１８ｃ内で前後方向の突出部１９ｂとの隙間分のみ先部材４に対して前後動可能となり、先部材４はキー部材１９の鍔部１９ａが前軸部材２の横孔部２ａ内の前後方向の隙間分のみ前軸部材に対して前後動可能に構成してある。
【００２１】
また、先部材４の内段４ｂと前方筒体１８の前端の間に中間スプリング２０を張架して、前方筒体１８に対して先部材４を前方に弾発してある。
【００２２】
更に、前述したように先部材４の内部にはスライド部材６が配設してあり、スライド部材６の後方からスライド部材６を囲むように、止具２１を先部材４の中間内孔に圧入してある。
尚、スライド部材６の中間段部６ｂと止具２１の外段部２１ａとの間に前方スプリング２２を張架して、スライド部材６を先部材４に対して前方に弾発してある。
【００２３】
また、図１に示すように、先部材４の外側面４ｅには、軸方向に複数並んだ状態で、外方へ向かって突出する突起部４ｆ（摺動阻止部）が形成してあり、複数の突起部４ｆは前方に向って徐々に高く形成することで、手で把持した際に指が引っ掛かり滑りにくくなり、操作しやすいようにしてある。
尚、本実施例では、突起部４ｆは、２色成形を用いて先部材４の外面に成形加工してあり、素材としてエラストマー等の弾性のある合成樹脂やシリコンゴム等の合成ゴムを採用することで、より滑りにくくなるよう形成してある。
【００２４】
図２、図３及び図５に示すように、先部材４の後端部には後方に向かって鋸刃状に形成した後カム４ｇが形成してあり、後カム４ｇは円周状に形成した複数のカム山４ｈで構成してある。
【００２５】
スライド部材６の内孔には芯７を適度の力で保持する合成ゴムで形成した芯ホルダー２３を内蔵してある。芯ホルダー２３を構成する合成ゴムは、シリコンゴムやニトリルゴムなどを採用することができ、本実施例ではシリコンゴムで成形してある。
尚、芯ホルダー２３の芯保持力は、ボールチャック９で芯７を挟持した際の芯を前方へ引き抜く力より強く、芯を後方へ押しこむ力より弱く設定してある。
【００２６】
前軸部材２の内面には、先部材４の後カム４ｇと隣接するように、後方へ向かって鋸刃状のカム山２ｂで形成された固定カム２ｃが設けられており、固定カム２ｃは、先部材４の後カム４ｇと同じピッチで且つ半位相ずれた状態で形成してある。
更に、固定カム２ｃには深さの違うカム山である浅い谷部２ｄと深い谷部２ｅが連続して交互に配置するように形成してある。更に、浅い谷部２ｄと深い谷部２ｅは等ピッチ間隔で形成してある。
【００２７】
先部材４の後方且つ前方筒体１８の外方には、筒状に形成した回転部材２４が配設してあり、回転部材２４は前方筒体１８と前軸部材２に対して回動可能に形成してある。また、回転部材２４の前端には前軸部材２の固定カム２ｃ及び先部材４の後カム４ｇの両方と同時に当接可能な幅を有する前カム２４ａが前方へ向かって鋸刃状に形成してあり、回転部材２４の前カム２４ａは前軸部材２の後カム２ｇ及び先部材４の後カム４ｇのピッチの倍のピッチ間隔で形成してあり、前軸部材の固定カム２ｃの深い谷部２ｅと同数のカム山２４ｂで構成してある。
尚、本発明では、深い谷部２ｅを１２箇所形成し、浅い谷部２ｄを１２箇所形成しているため、回転部材２４のカム山２４ｂも深い谷部２ｅと同数の１２箇所形成してある。
【００２８】
また、回転カム２４の後方にはワッシャー２５が配設してあり、ワッシャー２５の前端が回転部材２４の後端に当接するよう構成してある。更に、ワッシャー２５の先端断面形状を円弧状に形成することで回転部材２４との接触面積が減るように構成し、回転部材  ２４が回転した際にワッシャー２５が回転し難いようにしてある。
【００２９】
前方筒体１８の後方には、筒状に形成した後方筒体２６が配設されており、前方筒体１８の後端外周部に後方筒体２６の前端内周部を圧入固着することで、前方筒体１８と後方筒体２６とを一体に固定してある。
また、後方筒体２６の外段部２６ａとワッシャー２５の後端との間に後方スプリング２７を張架することで、後方筒体２６に対してワッシャー２５及び回転部材２４を前方に弾発してある。尚、回転部材２４が後方スプリング２７により前方に弾発されていることで、携帯時には回転部材２４の前カム２４ａは前軸部材２の固定カム２ｃと当接した状態となる。
更に、後方筒体２６の内段部２６ｂと後軸部材３の前方内段３ａとの間に筆圧受スプリング２８を張架することで、軸筒８に対して後方筒体２６を前方に弾発してある。  
【００３０】
次に、図３、図５、図６、図７、図８及び図９を用いて、図３の状態のャープペンシル１で筆記することでスライド部材６の先端孔部６ａから突出した芯７が磨耗した際、芯７に掛かる筆圧の負荷と解除により芯７が繰りだされる状態を説明する。
本発明のシャープペンシル１は、図３の状態で軸筒８を掴み、更に先部材４の突起部４ｆ（摺動阻止部）を同時に把持して筆記を行うと、筆圧と同時に先部材を前方側へ押す力が働くことで、突起部４ｆ（摺動阻止部）を操作したことになり、先部材４が軸筒８に対して前後動することを抑制できるため、スライド部材６が紙面に接触しない限り筆記しても芯７が自動で繰り出されることはない。このため、突起部４ｆを手で把持した状態では、スライド部材６の先端孔部６ａから突出した芯７は筆記に伴い徐々に磨耗する。
芯７が摩耗した状態で、突起部６ｆから手を離し、軸筒８のみを保持して芯７を紙面に押し当て１回目の筆記を行うと、筆圧を受けるボールチャック９、締具１１、コネクター１３、摺動筒１４、前方筒体１８、及び後方筒体２６は停止しているが、筆圧受スプリング２８の弾発力より筆圧が上回ることで先部材４と共に手で把持された軸筒８は前方筒体１８に対して前進する。ここで、キー部材１９の突出部１９ｂが前方筒体１８のスリット部１８ｃに当接すると、先部材４の前進が規制されて停止するが、軸筒８は更に前進し、キー部材１９の鍔部１９ａが前進した前軸部材２の横孔部２ａの後端部に当接するか、先部材４の後部が前軸部材２の内段に当接すると、軸筒８の前進が規制されて停止する。この際、スライド部材６は芯７を芯ホルダー２３で保持しているため、動くことはないが先部材４が前進した分、前方スプリング２２が圧縮されて前方へ付勢された図６状態となる。
また、図７（ａ）は図３の状態における前カム、後カム、固定カム２ｃの位置関係を示しており、図７（ａ）の状態から軸筒８が前方に移動することで、前軸部材２の内面に形成した固定カム２ｃが前進し、回転部材２４の前カム２４ａのカム山２４ｂと固定カム２ｃのカム山の深い谷部２ｅとの当接が解除されると、前カム２４ａは前方に弾発されていることから、前カム２４ａのカム山２４ｂは先部材４の後カム４ｇのカム山４ｈを半分滑べり回転部材は反時計回りに半位相回転して図７（ｂ）の状態となる。
【００３１】
ここで、筆記を止め芯７への筆圧を解除して芯７を紙面より離すと、軸筒８に対して、筆圧受スプリング２８の弾発力により前方に付勢されたボールチャック９、締具１１、コネクター１３、摺動筒１４、前方筒体１８及び後方筒体２６が前進する。そして、前方筒体１８の前進に伴って先部材４も前進して図８の状態となる。この際、図７（ｂ）の状態から先部材４が前進することで、後方スプリング２７により前方に弾発されている回転部材２４も併せて前進するが、回転部材２４の前カム２４ａのカム山２４ｂは前軸部材２の固定カム２ｃのカム山２ｂに当接することで先部材４の後カム４ｇのカム山４ｈから離れ、固定カム２ｃのカム山２ｂを半分滑り回転部材２４は反時計回りに回転して図７（ｃ）の状態になる。
尚、固定カム２ｃのカム山２ｂは回転部材２４が回転したことにより深い谷部２ｅから浅い谷部２ｄへと係合する位置が変わるため、先部材４は当初の位置よりも後方の位置までしか戻らない。また、スライド部材６の芯保持力はボールチャック９が芯７を挟持したときに前方へ引き抜く力より強く設定しているため芯７を保持したままボールチャック９に対して前進する。このため、スライド部材６により芯７はボールチャックから前方へ引き出されるが、回転部材２４のカム山２４ｂが固定カム４ｈの浅い谷部２ｄに当接することでボールチャック９、締具１１、コネクター１３、摺動筒１４、前方筒体１８及び後方筒体２６の前進が途中で止まるため、芯７はスライド部材６から前方へ繰り出されることはない。
【００３２】
次に、図８の状態から再度筆記をするために２回目の筆圧を芯に掛けると、筆圧を受けるボールチャック９、締具１１、コネクター１３、摺動筒１４、前方筒体１８、及び後方筒体２６は停止しているが、筆圧受スプリング２８の弾発力より筆圧が上回ることで先部材４に対して手で把持された軸筒８は前進する。ここで、キー部材１９の突出部１９ｂが前方筒体１８のスリット部１８ｃに当接すると、先部材４の前進が規制されて停止する。その後、軸筒８は更に前進し、キー部材１９の鍔部１９ａが前進した前軸部材２の横孔部２ａの後端部に当接するか、先部材４の後部が前軸部材２の内段に当接すると、軸筒８の前進が規制されて停止する。この際、スライド部材６は芯７を芯ホルダー２３で保持しているため、動くことはないが、先部材４が前進した分、前方スプリング２２が圧縮されて前方へ付勢された図９の状態となる。
また、図７（ｃ）の状態から軸筒８が前方に移動することで、前軸部材２の内面に形成した固定カム２ｃが前進し、回転部材２４の前カム２４ａのカム山２４ｂと固定カム２ｃのカム山の浅い谷部２ｄとの当接が解除されると、前カム２４ａは前方に弾発されていることから、前カム２４ａのカム山２４ｂは先部材４の後カム４ｇのカム山４ｈを半分滑べり回転部材は反時計回りに回転して図７（ｄ）の状態となる。
尚、本動作では回転部材２４のカム山２４ｂは固定カム２ｃの浅い谷部２ｄと係合した状態から始まるため、先部材４は元々前方に移動した状態であり、芯７に筆圧が掛かった際に先部材４が前進する移動量は小さくなる。
【００３３】
ここで、筆記を止め芯７への筆圧を解除して芯７を紙面より離すと、軸筒８に対して、筆圧受スプリング２８の弾発力により前方に弾発されたボールチャック９、締具１１、コネクター１３、摺動筒１４、前方筒体１８及び後方筒体２６が前進する。そして、前方筒体１８の前進に伴って先部材４も前進する。この際、先部材４が前進することで後方スプリング２７により前方に弾発されている回転部材２４も併せて前進するが、回転部材２４の前カム２４ａのカム山２４ｂは前軸部材２の固定カム２ｃのカム山２ｂに当接することで先部材４の後カム４ｇのカム山４ｈから離れ、固定カム２ｃのカム山２ｂを半分滑り回転部材２４は反時計回りに回転して図７（ａ）の状態に戻る。
また、固定カム２ｃのカム山２ｂは回転部材２４が回転したことにより浅い谷部２ｄから深い谷部２ｅへと係合する位置が変わるため、先部材４は図１０の位置まで戻る。
更に、スライド部材６の芯保持力はボールチャック９が芯７を挟持したときに前方へ引き抜く力より強く設定しているため芯７を保持したままボールチャック９に対して前進する。このため、スライド部材６により芯７はボールチャック９から前方へ引き出され、更にまた、回転部材のカム山２４ｂが固定カム２ｃの深い谷部２ｅに当接することで、ボールチャック９、締具１１、コネクター１３、摺動筒１４、前方筒体１８、及び後方筒体２６が前軸部材２に対して更に前進し、ボールチャック９で狭持された芯７も前進する。
結果として、軸筒８、先部材４、回転部材２４、ボールチャック９、締具１１、コネクター１３、摺動筒１４、前方筒体１８等の各構成部品の位置関係は、１回目の筆圧を芯７に掛ける前に戻るが、芯７はスライド部材６により、ボールチャック９より前方へ引き出されているため、その分、芯７はスライド部材６の先端孔部から前方へ繰り出され、図１０の状態となる。このため、本実施例で２回の筆圧を芯に掛けることにより、１回芯が前方へ繰り出されるものとなった。
【００３４】
尚、本実施例では、スライド部材を先部材４に対して前後動可能としているため、先部材４の突起部４ｆ（摺動阻止部）を把持して、筆圧により芯７が繰り出されないようにした状態でも、筆記により芯が摩耗しスライド部材が紙面に接触するとスライド部材６が後退する。そこで筆記を止めて芯にかかる筆圧を解除すると、スライド部材は芯７を保持したまま前進するため芯７がボールチャック９より引き出され、従来の自動芯出式のシャープペンシルとしても機能するよう構成してある。
【００３５】
以上により、先部材の側面に突起部（摺動阻止部）を設け、先部材が前後動しないよう突起部（摺動阻止部）を操作することで、筆圧の付加と解除によって芯が繰り出される状態と繰り出されない状態とを容易に切り替えることができるシャープペンシルを得ることができた。
【符号の説明】
【００３６】
１…シャープペンシル、
２…前軸部材、２ａ…横孔部、２ｂ…カム山、２ｃ…固定カム、２ｄ…浅い谷部、２ｅ…深い谷部、
３…後軸部材、３ａ…前方内段、
４…先部材、４ａ…先端開口部、４ｂ…内段、４ｃ…後部内孔、４ｄ…側孔、
４ｅ…外側面、４ｆ…突起部、４ｇ…後カム、４ｈ…カム山、
５…キャップ、
６…スライド部材、６ａ…先端孔部、６ｂ…中間段部、
７…芯、
８…軸筒、
９…ボールチャック、９ａ…頭部、９ｂ…凹部、９ｃ…段部、
１０…鋼製ボール、
１１…締具、１１ａ…傾斜部、１１ｂ…外段部、
１２…チャックスプリング、
１３…コネクター、１３ａ…中間部、
１４…摺動筒、１４ａ…爪部、
１５…ノックスプリング、
１６…芯タンク、
１７…消しゴム、
１８…前方筒体、１８ａ…窓部、１８ｂ…段部、１８ｃ…スリット部、
１９…キー部材、１９ａ…鍔部、１９ｂ…突出部、
２０…中間スプリング、
２１…止具、２１ａ…外段部、
２２…前方スプリング、
２３…芯ホルダー、
２４…回転部材、２４ａ…前カム、２４ｂ…カム山、 
２５…ワッシャー、
２６…後方筒体、２６ａ…外段部、２６ｂ…内段部、
２７…後方スプリング、
２８…筆圧受スプリング。
【図１】
0006706132.tif 000002
【図２】
0006706132.tif 000003
【図３】
0006706132.tif 000004
【図４】
0006706132.tif 000005
【図５】
0006706132.tif 000006
【図６】
0006706132.tif 000007
【図７】
0006706132.tif 000008
【図８】
0006706132.tif 000009
【図９】
0006706132.tif 000010
【図１０】
0006706132.tif 000011